(57)【要約】【課題】タッチパネル装置とともに用いられる表示装置が矩形でない場合であっても、その表示装置の領域内における導体のタッチの有無やタッチ位置を無駄なく判定することができるタッチパネル装置を提供する。【解決手段】各センサ電極２ａ〜２ｐは、基準点８の周りを一定方向に回るように配置される。そして、各センサ電極２ａ〜２ｐは、それぞれ、基準点８から遠ざかる方向に向かって延び、基準点８からその方向に沿った長さが長くなるほど、幅広になるように形成される。【選択図】図２
2014095968.tif 000002
【特許請求の範囲】
【請求項１】
基準点の周りに配置される複数のセンサ電極と、
各センサ電極の周囲の静電容量の変化を計測し、静電容量の変化量に基づいて、導体のタッチ位置を判定するタッチ判定手段とを備え、
各センサ電極は、それぞれ、前記基準点から遠ざかる方向に向かって延び、前記基準点から前記方向に沿った長さが長くなるほど、幅広になるように形成されている
ことを特徴とするタッチパネル装置。
【請求項２】
タッチ判定手段は、周囲の静電容量が変化したセンサ電極に該当する領域内で導体のタッチがあったと判定し、静電容量の変化量が大きいほど、前記センサ電極が延びている方向に沿って基準点から離れた位置を導体のタッチ位置として判定する
請求項１に記載のタッチパネル装置。
【請求項３】
各センサ電極における最も幅広の部分は、タッチの有無の判定対象の導体の接触領域の幅とほぼ等しい
請求項１または請求項２に記載のタッチパネル装置。
【請求項４】
各センサ電極の形状は、中心角が共通である略扇形である
請求項１から請求項３のうちのいずれか１項に記載のタッチパネル装置。
【発明の詳細な説明】
【技術分野】
【０００１】
本発明は、タッチパネル装置に関し、特に、静電容量方式のタッチパネル装置に関する。
【背景技術】
【０００２】
入力デバイスとして、キーボードやマウス等が多く用いられてきた。しかし、情報処理装置の応用範囲が広がるにつれて、入力デバイスとしてタッチパネル装置も用いられるようになった。
【０００３】
タッチパネル装置は、液晶表示パネル等の表示装置と一体となって用いられる。例えば、タッチパネル装置は、液晶表示パネル等の表示装置の上に設けられたり、液晶表示パネルに組み込まれた態様で形成されたりする。
【０００４】
タッチパネル装置の方式としては、抵抗膜方式、光学方式、静電容量方式、超音波方式、圧力方式等がある。そして、タッチパネル装置の用途に適した方式が採用される。例えば、駅や図書館等の公共施設で固定して用いられるタッチパネル装置では、乱暴に扱っても破損しない方式が採用される。また、車載用ナビゲーションシステムで用いられるタッチパネル装置では、振動に対して耐久性があり、外光によって視認性が損なわれにくい方式が採用される。また、携帯端末では、軽量化・薄型化が容易な方式が採用される。
【０００５】
近年では、スマートフォンの急速な普及により、静電容量方式のタッチパネル装置が急速に普及している。
【０００６】
一般に、静電容量方式のタッチパネル装置は、複数のＸ電極と複数のＹ電極とを備え、矩形に形成される。そして、Ｘ電極を順次、１本ずつ選択し、１本のＸ電極の選択中に、Ｙ電極を順次選択し、選択した電極の周囲の静電容量の変化によって、指等のタッチ位置を検出する。
【０００７】
複数のＸ電極と複数のＹ電極とを備え、矩形に形成されたタッチパネル装置は、例えば、特許文献１に記載されている。
【先行技術文献】
【特許文献】
【０００８】
【特許文献１】特開２０１２−８４０２５号公報（図１，図８等）
【発明の概要】
【発明が解決しようとする課題】
【０００９】
パーソナルコンピュータや携帯端末で用いられる液晶表示パネルは矩形であるため、そのような液晶表示パネルとともに用いられるタッチパネル装置も、前述のように矩形に形成されていた。
【００１０】
しかし、液晶表示パネルは、省エネ、省スペースの要求に応えるために、パーソナルコンピュータや携帯端末以外にも、種々の用途に用いられるようになった。例えば、車両、オートバイ等のスピードメータやその他各種の計器類に液晶表示パネルが利用されるようになった。そして、そのような用途の広がりとともに、液晶表示パネルの形状も矩形に限られなくなった。例えば、メータ等の計器類に利用される液晶表示パネルの形状は、円形であったり、扇形であったりする。
【００１１】
図１２は、そのような矩形でない液晶表示パネルと、一般的なタッチパネル装置とを組み合わせた状態を表す模式図である。図１２では、円形の液晶表示パネル５１と、矩形のタッチパネル装置５２とを示している。図１２に示す例では、タッチパネル装置５２は、Ｘ電極Ｘ０〜Ｘ３と、Ｙ電極Ｙ０〜Ｙ５を有し、Ｘ電極とＹ電極との交差部分におけるタッチの有無を検出する。矩形でない液晶表示パネル５１の各位置におけるタッチの有無の検出を可能とするように、液晶表示パネル５１よりも大きい矩形のタッチパネル装置５２を用いると、タッチパネル装置５２は、液晶表示パネル５１の領域外におけるタッチの有無の判定も行うことになる。例えば、図１２に示す例では、タッチパネル装置５２は、Ｘ電極Ｘ３とＹ電極Ｙ０との交差部分等に関しても、指等のタッチの有無の判定を行う。しかし、そのような箇所は、液晶表示パネル５１の領域外である。従って、タッチパネル装置５２は、液晶表示パネル５１の領域外の、タッチの有無の判定を行う必要がない箇所に関しても、タッチの有無の判定を行うことになる。
【００１２】
このようなタッチパネル装置５２における不要な判定処理をなくすために、タッチパネル装置５２全体が液晶表示パネル５１の領域内に収まるように、タッチパネル装置５２の大きさを定めることが考えられる。しかし、タッチパネル装置５２は矩形であるので、その場合、液晶表示パネル５１の外縁付近に、タッチパネル装置５２と重ならない領域が生じる。すなわち、液晶表示パネル５１の外縁付近で、タッチの有無を判定できない領域が生じてしまう。
【００１３】
このような問題は、表示装置が液晶表示パネル以外の場合にも生じる。
【００１４】
そこで、本発明は、タッチパネル装置とともに用いられる表示装置が矩形でない場合であっても、その表示装置の領域内における導体のタッチの有無やタッチ位置を無駄なく判定することができるタッチパネル装置を提供することを目的とする。
【課題を解決するための手段】
【００１５】
本発明によるタッチパネル装置は、基準点の周りに配置される複数のセンサ電極と、各センサ電極の周囲の静電容量の変化を計測し、静電容量の変化量に基づいて、導体のタッチ位置を判定するタッチ判定手段（例えば、センサＩＣ３）とを備え、各センサ電極は、それぞれ、基準点から遠ざかる方向に向かって延び、基準点からその方向に沿った長さが長くなるほど、幅広になるように形成されていることを特徴とする。
【００１６】
タッチ判定手段が、周囲の静電容量が変化したセンサ電極に該当する領域内で導体のタッチがあったと判定し、静電容量の変化量が大きいほど、センサ電極が延びている方向に沿って基準点から離れた位置を導体のタッチ位置として判定してもよい。
【００１７】
各センサ電極における最も幅広の部分が、タッチの有無の判定対象の導体の接触領域の幅とほぼ等しい構成であってもよい。
【００１８】
各センサ電極の形状は、中心角が共通である略扇形であってもよい。
【発明の効果】
【００１９】
本発明によれば、タッチパネル装置とともに用いられる表示装置が矩形でない場合であっても、その表示装置の領域内における導体のタッチの有無やタッチ位置を無駄なく判定することができる。
【図面の簡単な説明】
【００２０】
【図１】本発明のタッチパネル装置の例を示す模式的断面図。
【図２】各センサ電極の形状および配置の例を示す説明図。
【図３】導体がタッチパネル装置に接触したときの接触領域とセンサ電極との重複する領域の変化を示す説明図。
【図４】センサ電極の幅が接触領域に対して広すぎる場合の例を示す説明図。
【図５】本発明のタッチパネル装置の処理経過の例を示すフローチャート。
【図６】センサ電極と指との間に形成されるキャパシタを示す模式図。
【図７】実験で用いたセンサ電極および実験結果を示す説明図。
【図８】表示装置が扇形である場合のセンサ電極の配置例を示す説明図。
【図９】一部のセンサ電極の中心角が他のセンサ電極の中心角と異なる場合のセンサ電極の例を示す説明図。
【図１０】表示装置が楕円形である場合のセンサ電極の配置例を示す説明図。
【図１１】基準点から、曲がった方向に延びるように形成されたセンサ電極の例を示す説明図。
【図１２】矩形でない液晶表示パネルと、一般的なタッチパネル装置とを組み合わせた状態を表す模式図。
【発明を実施するための形態】
【００２１】
以下、本発明の実施形態を図面を参照して説明する。
図１は、本発明のタッチパネル装置の例を示す模式的断面図である。本発明のタッチパネル装置は、複数のセンサ電極２と、センサＩＣ（Integrated Circuit）３と、カバーガラス４とを備える。
【００２２】
また、本発明のタッチパネル装置は、表示装置７とともに用いられる。表示装置７は、矩形以外の形状であり、その形状の領域内で表示を行う。以下の説明では、表示装置７が円形であり、円形の領域内で表示を行う場合を例にして説明する。このような表示装置７の例として、円形のメータ表示器が挙げられる。
【００２３】
また、表示装置７は、例えば、液晶表示パネルであるが、液晶表示パネル以外の表示装置であってもよい。
【００２４】
また、図１に示す例では、表示装置７の上層にセンサ電極２およびカバーガラス４を設ける構成としたが、センサ電極２およびカバーガラス４が表示装置７に組み込まれている構成であってもよい。
【００２５】
カバーガラス４は、センサ電極２を保護する。
【００２６】
センサＩＣ３は、個々のセンサ電極２と、それぞれ配線９によって接続される。そして、センサＩＣ３は、各センサ電極２の周囲の静電容量の変化を計測し、静電容量の変化量に基づいて、導体のタッチ位置を判定する。以下の説明では、タッチパネル装置にタッチする導体が指である場合を例にして説明する。
【００２７】
図２は、各センサ電極２の形状および配置の例を示す説明図である。図２では、表示装置７に配置された各センサ電極２をユーザ側から見た状態を示している。図２では、センサ電極２として、１６個のセンサ電極２ａ〜２ｐを示している。ただし、センサ電極の数は１６個に限定されない。
【００２８】
各センサ電極２ａ〜２ｐは、基準点８の周りを一定方向（本例では、時計回り方向）に回るように配置されている。
【００２９】
基準点８は、例えば、表示装置７の形状（本例では、円）の中心点である。ただし、表示装置７の形状の領域内において、その形状の中心点以外の点を基準点８としてもよい。図２では、表示装置７の形状（円）の中心点を基準点とする場合を例示している。
【００３０】
各センサ電極２ａ〜２ｐは、それぞれ、基準点８から遠ざかる方向に向かって延びるように形成されている。例えば、センサ電極２ａは、遠ざかる方向である図２に示す方向Ａに向かって延びるように形成されている。他のセンサ電極２ｂ〜２ｐに関しても、延びる方向は方向Ａ（図２参照）とは異なっていても、いずれも、基準点から遠ざかる方向に延びるように形成されている。
【００３１】
また、各センサ電極２ａ〜２ｐは、基準点８から延びる方向に沿った長さが長くなるほど、幅広に形成される。例えば、図２に示すセンサ電極２ａを例にして説明すると、基準点８から、方向Ａ（図２参照）に沿った長さが長くなっている場所ほど、センサ電極２ａの幅が広く形成されている。すなわち、基準点８に近い場所ほど、センサ電極２ａの幅は狭く、基準点８から遠い場所ほど、センサ電極２ａの幅は広い。このようなセンサ電極２の形状として、略扇形の形状が挙げられる。ここでは、センサ電極２ａを例にして説明したが、他のセンサ電極２ｂ〜２ｐに関しても同様である。以下、各センサ電極２ａ〜２ｐが略扇形である場合を例にして説明する。
【００３２】
このように各センサ電極２ａ〜２ｐを形成することによって、各センサ電極２ａ〜２ｐを組み合わせた形状を、表示装置７の形状とほぼ同じ形状にできる。
【００３３】
各センサ電極２ａ〜２ｐは電気的に絶縁されている。すなわち、センサ電極同士は離間して配置されている。センサ電極同士が接触していると、センサ電極の周囲の静電容量の変化を計測する際に、計測結果に混ざるノイズが大きくなるので、センサ電極同士は接触させない。また、センサ電極同士の距離を開けすぎると、表示装置７の形状の領域内で、センサ電極が存在しない部分の面積が増加するので、センサ電極２ａ〜２ｐを組み合わせた形状と、表示装置７の形状とがほぼ同じ形状になると言える程度の間隔で、センサ電極同士を離して配置することが好ましい。
【００３４】
また、全てのセンサ電極２ａ〜２ｐの中心（ここでは、略扇形の中心を意味する。）が基準点８に存在するように、各センサ電極２ａ〜２ｐを形成すると、基準点８付近で多数のセンサ電極が密集することになる。この状態を避けるため、少なくとも１つのセンサ電極２の中心が基準点８に存在していればよい。基準点８近傍での指のタッチの認識率を高める観点からは、基準点８に存在しているセンサ電極２は１つであることが好ましい。図２では、扇形のセンサ電極２ｋの中心が基準点８に存在し、他のセンサ電極２ａ〜２ｊおよびセンサ電極２ｌ〜２ｐに関しては、扇形の中心近傍に該当する部分が形成されていない場合を例示している。換言すると、複数のセンサ電極２ａ〜２ｐのうち、１つのセンサ電極だけを基準点８に最近接させることが好ましい。
【００３５】
ただし、図２に示す例では、略扇形の全てのセンサ電極２ａ〜２ｐの中心角は、等しい。
【００３６】
なお、センサ電極２とセンサＩＣ３とを接続させる配線９（図２において図示略。図１参照）は、センサ電極２における基準点８側から引き出されていても、あるいは、センサ電極２における基準点８とは反対側から引き出されていてもよい。省スペースの観点からは、配線９をセンサ電極２における基準点８側から引き出すことが好ましい。また、基準点８側からの配線の引き出しと、基準点８とは反対側からの配線の引き出しとを、センサ電極２の並び順に交互に切り替えてもよい。この場合、各配線の配設の容易性を向上できる。
【００３７】
センサＩＣ３（図１参照）は、例えば、個々のセンサ電極２ａ〜２ｐを１つずつ順次、選択する。そして、センサＩＣ３は、選択したセンサ電極の周囲の静電容量の変化を計測する。センサＩＣ３は、選択したセンサ電極の周囲の静電容量が変化していれば、そのセンサ電極に該当する領域内で指（導体）のタッチがあったと判定する。一方、選択したセンサ電極の周囲の静電容量が変化していなければ、センサＩＣ３は、そのセンサ電極に該当する領域内で指のタッチはなかったと判定する。なお、ノイズによる静電容量の変化は、無視してよい。例えば、静電容量の変化量が閾値以下であれば、センサＩＣ３は、静電容量は変化していないとみなしてよい。
【００３８】
このように、センサＩＣ３は、周囲の静電容量が変化しているセンサ電極を特定する。このことは、基準点８から見てどの方向に指のタッチがあったかを検出していることを意味する。
【００３９】
さらに、センサＩＣ３は、指のタッチがあった方向に関して、基準点８からどれだけ離れた位置に指のタッチがあったかを判定する。具体的には、センサＩＣ３は、選択したセンサ電極の周囲の静電容量が変化したと判定した場合、その静電容量の変化量が大きいほど、そのセンサ電極が延びている方向に沿って基準点から離れた位置を指のタッチ位置として判定する。
【００４０】
図３は、タッチの有無の判定対象となる導体（本例では指）がタッチパネル装置に接触したときの接触領域と、本発明におけるセンサ電極との重複する領域の変化を示す説明図である。タッチの有無の判定対象となる導体の接触領域の大きさは、ほぼ一定であるとみなすことができる。以下の説明では、導体の接触領域の大きさは、予め想定された一定の大きさであるものとする。
【００４１】
図３では、指の接触領域１１を破線で示している。そして、指が基準点８に近い場所をタッチした場合を示している。基準点８に近い場所ほどセンサ電極２の幅は狭いので、指が基準点８に近い場所をタッチした場合、指の接触領域１１とセンサ電極２とが重複する領域の面積は小さい。
【００４２】
そして、タッチ位置が基準点８から離れるほど、指の接触領域１１は図３に示す方向Ｌに移動する。従って、タッチ位置が基準点８から離れているほど、指の接触領域１１とセンサ電極２との重複領域の面積が大きくなる。
【００４３】
センサ電極２における静電容量の変化量は、指の接触領域１１とセンサ電極２とが重複する領域の面積が大きくなるにつれて大きくなる。従って、センサＩＣ３は、選択したセンサ電極における静電容量が変化したと判定した場合、その静電容量の変化量が大きいほど、そのセンサ電極が延びている方向に沿って基準点から離れた位置を指のタッチ位置として判定することができる。ここで、静電容量の変化量と、基準点８からのタッチ位置の距離との対応関係は、予めメモリ（図示略）に記憶させておき、センサＩＣ３は、静電容量の変化量の計測値に対応する基準点８からの距離をそのメモリから読み込むことによって、基準点８からのタッチ位置の距離を判定すればよい。
【００４４】
このように、センサＩＣ３は、指のタッチがあった方向に関して、基準点８からどれだけ離れた位置に指のタッチがあったかを判定する。すなわち、本発明では、センサＩＣ３は、基準点８を基準として、タッチ位置の方向および基準点からの距離を判定することによって、指のタッチ位置を特定する。
【００４５】
ただし、センサ電極２の幅が指の接触領域１１に対して広すぎると、「タッチ位置が基準点から離れているほど、指の接触領域１１とセンサ電極２との重複領域の面積が大きくなる」という関係が保たれなくなる。図４は、センサ電極２の幅が指の接触領域１１に対して広すぎる場合の例を示す説明図である。図４に示す例では、タッチ位置が基準点８に比較的近い場所で、指の接触領域１１とセンサ電極２との重複領域の面積は最大値に達する。すなわち、タッチ位置が基準点８に比較的近い場所で、重複領域の面積は、指の接触領域１１の面積と等しくなり、飽和する。従って、タッチ位置が基準点８からある程度離れると、タッチ位置が基準点８から離れても重複領域の面積は最大値のまま変化しなくなる。そのため、タッチ位置が基準点８からある程度以上離れた場所では、タッチ位置が変化したとしても、静電容量の変化量が一定になる。従って、基準点８からのタッチ位置の距離を正確に判定することが困難になる。また、センサ電極２の幅が指の接触領域１１に対して広すぎると、タッチ位置の方位分解能も低下する。
【００４６】
従って、予め想定される指の接触領域１１の幅に応じて、センサ電極の最大幅を定めておくことが好ましい。例えば、各センサ電極２における最も幅広の部分が指の接触領域１１の幅とほぼ等しくなるように、各センサ電極２を形成しておくことが好ましい。
【００４７】
次に、動作について説明する。
図５は、本発明のタッチパネル装置の処理経過の例を示すフローチャートである。以下の説明では、説明を簡単にするために、センサＩＣ３がセンサ電極２を１つずつ選択する場合を例にして説明する。
【００４８】
まず、センサＩＣ３は、１つのセンサ電極２を選択する（ステップＳ１）。次に、センサＩＣ３は、選択したセンサ電極２の周囲の静電容量の変化を計測する。そのセンサ電極２の配置領域に指がタッチしていなければ、静電容量は変化しない。この場合（ステップＳ３のＮｏ）、センサＩＣ３は、選択するセンサ電極２を切り替え（ステップＳ５）、ステップＳ２以降の処理を繰り返す。
【００４９】
また、選択されたセンサ電極２の配置領域に指がタッチしているとする。すると、図６に示すように、選択されたセンサ電極２と指３１との間にキャパシタ２１が形成される。この結果、センサ電極２の周囲の静電容量が変化する。この場合（ステップＳ３のＹｅｓ）、センサＩＣ３は、基準点８から見て、ステップＳ１で選択したセンサ電極２の配置された方向に指のタッチ位置があると判定する。さらに、センサＩＣ３は、静電容量の変化量に基づいて、基準点８（図２参照）から指のタッチ位置までの距離を判定する（ステップＳ４）。すなわち、センサＩＣ３は、指のタッチ位置の方向および、基準点８からタッチ位置までの距離を判定する。この結果、指のタッチ位置が特定されることになる。センサＩＣ３は、指のタッチ位置を外部のシステム（上位システム）に出力する。
【００５０】
その後、センサＩＣ３は、選択するセンサ電極２を切り替え（ステップＳ５）、ステップＳ２以降の処理を繰り返す。
【００５１】
前述のように、各センサ電極２ａ〜２ｐは、基準点８から延びる方向に沿った長さが長くなるほど、幅広に形成される。そして、そのようにセンサ電極２ａ〜２ｐを形成することによって、各センサ電極２ａ〜２ｐを組み合わせた形状を、矩形でない表示装置７の形状とほぼ同じ形状にできる。従って、本発明によれば、表示領域７の外側にまでセンサ電極を配置して、その位置でのタッチの有無を判定することがない。よって、表示装置が矩形でない場合であっても、その表示装置の領域内における導体のタッチの有無やタッチ位置を無駄なく判定することができる。
【００５２】
また、Ｘ電極とＹ電極を設ける一般的な構成とは異なり、本発明では、センサ電極２同士を交差させて配置することはない。そのため、本発明では、マルチタッチの検出も容易に行うことができる。
【００５３】
また、発明者は、タッチ位置が基準点から遠ざかるほど、静電容量の変化量が増加することを実験により確認した。図７は、その実験で用いたセンサ電極および実験結果を示す説明図である。発明者は、図７（ａ）に示すように、一方の端部が狭く、もう一方の端部が広がったセンサ電極２上にカバーガラスを設けた。そして、図７（ａ）に示す左側から指のタッチ位置を変化させつつ、指をタッチしたときとタッチしていないときの静電容量の変化量を測定した。その結果を図７（ｂ）に示している。なお、図７（ａ）では基準点の図示を省略しているが、基準点は、図７（ａ）に示すセンサ電極の左側の端部近傍に存在する。図７（ｂ）に示す横軸は、タッチ位置の移動距離を示す。図７（ｂ）の縦軸は、指をタッチしたときとタッチしていないときの静電容量の変化量を示す。図７（ｂ）に示す実験結果からも、基準点とタッチ位置との距離が大きくなるほど、静電容量の変化量が増加する傾向があることが確認できた。
【００５４】
次に、本発明の実施形態の変形例について説明する。
上記の実施形態では、センサＩＣ３が、センサ電極２を１つずつ選択し、選択したセンサ電極２に関して静電容量の変化を計測する場合を例にして説明した。センサＩＣ３は、センサ電極２を順次選択するのではなく、静電容量の変化の計測を各センサ電極２に関して同時に行ってもよい。この場合、センサＩＣ３は、隣り合う２つのセンサ電極に関して、同時に静電容量の変化を検出したときに、その２つのセンサ電極の境界方向に指のタッチ位置があると判定してもよい。このように判定を行うことで、指のタッチ位置の方向をより細かく特定することができる。
【００５５】
また、上記の実施形態では、表示装置７が円形である場合を例にして説明したが、表示装置７の形状は円形に限定されない。例えば、表示装置７は、扇形であり、扇形の領域内で表示を行ってもよい。このような表示装置７の例として、扇形のメータ表示器が挙げられる。
【００５６】
図８は、表示装置７が扇形である場合のセンサ電極２の配置例を示す説明図である。図８に示す例において、各センサ電極２は、表示装置７の扇形の形状を一定の中心角で分割した形状になっている。従って、本例において、各センサ電極２も扇形である。また、図８に示す例では、各センサ電極２の中心角は共通である。
【００５７】
図８では、各センサ電極２の中心（ここでは、扇形の中心を意味する。）が基準点８に密集している場合を示しているが、既に説明したように、少なくとも１つのセンサ電極２の中心が基準点８に存在していればよい。
【００５８】
また、図２や図８に示す例では、略扇形または扇形のセンサ電極の中心角が共通である場合を例示したが、センサ電極の中心角は共通でなくてもよい。一部のセンサ電極の中心角が、他のセンサ電極の中心角と異なる場合のセンサ電極の例を図９に示す。図９では、センサ電極２ｓ，２ｔの中心角が、他のセンサ電極２の中心角の１／２である場合を例示している。
【００５９】
ただし、中心角が異なっているセンサ電極同士では、静電容量の変化量と、基準点８からのタッチ位置の距離との対応関係が異なる。よって、図９に例示する場合には、静電容量の変化量と基準点８からのタッチ位置の距離との対応関係を示す情報をメモリ（図示略）に予め記憶させておく際に、センサ電極２ｓ，２ｔの選択時用の情報と、他のセンサ電極２の選択時用の情報とをそれぞれ用意してメモリに記憶させておく。
【００６０】
また、中心角だけでなく、センサ電極２の形状や大きさが共通でなくてもよい。図１０は、表示装置７が楕円形である場合のセンサ電極２の配置例を示す説明図である。図１０に示す例では、センサ電極２の形状は１種類ではなく複数種類存在する。このように、本発明のタッチパネル装置は、複数種類の形状のセンサ電極２を備えていてもよい。形状や大きさが異なるセンサ電極同士でも、静電容量の変化量と、基準点８からのタッチ位置の距離との対応関係は異なる。従って、この場合には、形状や大きさの異なるセンサ電極の種類毎に、静電容量の変化量と基準点８からのタッチ位置の距離との対応関係を示す情報をメモリ（図示略）に記憶させておけばよい。
【００６１】
図９や図１０に例示したように、各センサ電極の中心角が共通でなかったり、形状や大きさが共通でなかったりしてもよい。ただし、各センサ電極２が略扇形であり、略扇形の中心角が共通であれば、静電容量の変化量と基準点８からのタッチ位置の距離との対応関係も各センサ電極２で共通化することができる。従って、各センサ電極２が略扇形であり、略扇形の中心角が共通であることが好ましい。
【００６２】
また、既に説明したように、本発明において、各センサ電極は、それぞれ、基準点８から遠ざかる方向に向かって延びるように形成されている。ここで、各センサ電極は、図１１に例示するように、基準点８から、曲がった方向に延びるように形成されていてもよい。
【産業上の利用可能性】
【００６３】
本発明は、矩形以外の形状の表示装置とともに用いられるタッチパネル装置に好適に適用される。
【符号の説明】
【００６４】
２  センサ電極
３  センサＩＣ
４  カバーガラス
７  表示装置
【図１】
2014095968.tif 000003
【図２】
2014095968.tif 000004
【図３】
2014095968.tif 000005
【図４】
2014095968.tif 000006
【図５】
2014095968.tif 000007
【図６】
2014095968.tif 000008
【図７】
2014095968.tif 000009
【図８】
2014095968.tif 000010
【図９】
2014095968.tif 000011
【図１０】
2014095968.tif 000012
【図１１】
2014095968.tif 000013
【図１２】
2014095968.tif 000014